(57)【要約】【課題】吸収布で吸収した尿の表布等への浸透を防止することができる失禁用パンツを提供すること。【解決手段】中当布２１と表布１の間に、中当布２１側から、中当布２１と共に吸収層２を構成する吸水性を有する不織布からなる吸収布２２、２３と、防水性を有する防水シート材２４とを順に配し、吸収布２２、２３の周囲に、防水シート材２４を中当布２１に環状に熱融着したシール部３を形成する。【選択図】図２
2005240252.tif 000002
【特許請求の範囲】
【請求項１】
中当布と表布の間に、中当布側から、吸水性を有する不織布及び／又は織編物からなる吸収布と、防水性を有する防水シート材とを順に配した失禁用パンツにおいて、前記吸収布の周囲に、防水シート材を中当布に環状に熱融着したシール部を形成したことを特徴とする失禁用パンツ。
【請求項２】
中当布が透水性及び疎水性を有する素材からなることを特徴とする請求項１記載の失禁用パンツ。
【請求項３】
中当布に撥水加工を施してなることを特徴とする請求項１又は２記載の失禁用パンツ。
【請求項４】
中当布に接する吸収布が吸水拡散性を有する素材からなることを特徴とする請求項１、２又は３記載の失禁用パンツ。
【請求項５】
防水シート材を吸収布に少なくとも部分的に熱融着したシール部を形成したことを特徴とする請求項１、２、３又は４記載の失禁用パンツ。
【請求項６】
吸収布を複数枚の布で構成するとともに、該複数枚の布の大きさを、中当布側から防水シート材側に向けて順次小さく形成したことを特徴とする請求項１、２、３、４又は５記載の失禁用パンツ。
【請求項７】
中当布側から、吸水性を有する不織布及び／又は織編物からなる吸収布と、防水性を有する防水シート材とを順に配した失禁用パッドにおいて、前記吸収布の周囲に、防水シート材を中当布に環状に熱融着したシール部を形成したことを特徴とする失禁用パッド。
【請求項８】
中当布が透水性及び疎水性を有する素材からなることを特徴とする請求項７記載の失禁用パッド。
【請求項９】
中当布に撥水加工を施してなることを特徴とする請求項７又は８記載の失禁用パッド。
【請求項１０】
中当布に接する吸収布が吸水拡散性を有する素材からなることを特徴とする請求項７、８又は９記載の失禁用パッド。
【請求項１１】
防水シート材を吸収布に少なくとも部分的に熱融着したシール部を形成したことを特徴とする請求項７、８、９又は１０記載の失禁用パッド。
【請求項１２】
吸収布を複数枚の布で構成するとともに、該複数枚の布の大きさを、中当布側から防水シート材側に向けて順次小さく形成したことを特徴とする請求項７、８、９、１０又は１１記載の失禁用パッド。
【発明の詳細な説明】
【技術分野】
【０００１】
本発明は、人の肌に触れる中当布側から、吸水性を有する不織布及び／又は織編物からなる吸収布と、防水性を有する防水シート材とを順に配した失禁用パンツ及び失禁用パッドに関し、特に、防水シート材の縫製部分や中当布等を通しての尿の漏れを防止することにより、吸収布で吸収した尿の表布等への浸透を防止することができる失禁用パンツ及び失禁用パッドに関するものである。
【背景技術】
【０００２】
従来、失禁用パンツとして、中当布と表布の間に、吸水性を有する不織布からなる吸収布と、防水性を有する防水シート材とを中当布側から順に配し、通常のパンツと同形状に縫製するようにしたものが用いられている（特許文献１参照）。
【特許文献１】特開平１１−２９３５０２号公報
【０００３】
ところで、この従来の失禁用パンツは、吸収布によって多量に尿を吸収するとともに、吸収布で吸収した尿で表布を濡らさないように、防水シート材を吸収布と表布の間に配設しているが、中当布と略同形に形成された防水シート材は、外周縁部が表布に縫製されることから、この縫製の針穴から尿が漏れ、表布に浸透するという問題があった。
【０００４】
また、尿の量が多いと、中当布を通して一旦吸収布に吸収された尿が、中当布に逆流し、中当布を横方向に伝って漏れ出すという問題があった。
【０００５】
そして、これらの問題点は、失禁用パンツのほか、通常のパンツの内面に沿って配設して用いられる失禁用パッドにも共通するものであった。
【発明の開示】
【発明が解決しようとする課題】
【０００６】
本発明は、上記従来の失禁用パンツ及び失禁用パッドが有する問題点に鑑み、吸収布で吸収した尿の表布等への浸透を防止することができる失禁用パンツ及び失禁用パッドを提供することを第１の目的とする。
【０００７】
また、本発明は、中当布を通して一旦吸収布に吸収された尿が、中当布に逆流し、中当布を横方向に伝って漏れ出すことを防止することができる失禁用パンツ及び失禁用パッドを提供することを第２の目的とする。
【課題を解決するための手段】
【０００８】
上記第１の目的を達成するため、本発明の失禁用パンツは、中当布と表布の間に、中当布側から、吸水性を有する不織布及び／又は織編物からなる吸収布と、防水性を有する防水シート材とを順に配した失禁用パンツにおいて、前記吸収布の周囲に、防水シート材を中当布に環状に熱融着したシール部を形成したことを特徴とする。
【０００９】
また、同じ目的を達成するため、本発明の失禁用パッドは、中当布側から、吸水性を有する不織布及び／又は織編物からなる吸収布と、防水性を有する防水シート材とを順に配した失禁用パッドにおいて、前記吸収布の周囲に、防水シート材を中当布に環状に熱融着したシール部を形成したことを特徴とする。
【００１０】
ここで、「環状に熱融着した」とは、少なくとも防水シート材の周縁部の全周を中当布に熱融着したことを意味する。
【００１１】
さらに、上記第２の目的を達成するため、本発明の失禁用パンツ及び失禁用パッドは、中当布が透水性及び疎水性を有する素材からなることを特徴とする。
【００１２】
この場合において、中当布に撥水加工を施すことができる。
【００１３】
また、中当布に接する吸収布に吸水拡散性を有する素材を用いることができる。
【００１４】
また、防水シート材を吸収布に少なくとも部分的に熱融着したシール部を形成することができる。
【００１５】
また、吸収布を複数枚の布で構成するとともに、該複数枚の布の大きさを、中当布側から防水シート材側に向けて順次小さく形成することができる。
【発明の効果】
【００１６】
本発明の失禁用パンツ及び失禁用パッドによれば、吸収布の周囲に、防水シート材を中当布に環状に熱融着したシール部を形成するようにしているので、シール部により尿をせき止めることができ、これにより、尿の漏れを防止し、吸収布で吸収した尿の表布等への浸透を防止することができる。
【００１７】
また、中当布を透水性及び疎水性を有する素材から構成することにより、中当布を通しての吸収布への尿の吸収が促進されるとともに、一旦吸収布に吸収された尿が中当布に逆流しにくくなり、これによって、尿の量が多い場合でも、尿が中当布を横方向に伝って漏れ出すことを防止することができる。
【００１８】
また、中当布に撥水加工を施すことにより、一旦吸収布に吸収された尿が中当布に逆流することをより確実に防止することができる。
【００１９】
また、中当布に接する吸収布に吸水拡散性を有する素材を用いることにより、中当布を通しての吸収布への尿の吸収を一層促進することができる。
【００２０】
また、防水シート材を吸収布に少なくとも部分的に熱融着したシール部を形成することにより、防水シート材と吸収布との一体性を高めることができる。
【００２１】
また、吸収布を複数枚の布で構成するとともに、該複数枚の布の大きさを、中当布側から防水シート材側に向けて順次小さく形成することにより、防水シート材を複数枚のすべての吸収布に熱融着して一体化することができ、吸収布がずれるのを防止することができる。
また、装着したときに、股間当接部に、不規則な襞を生じさせることなく、この股間当接部を股間部に添わせ、これによって、装着時に不快感を与える股間部におけるごわつきをなくすとともに、尿の横漏れ等を防止することができる。
【発明を実施するための最良の形態】
【００２２】
以下、本発明の失禁用パンツ及び失禁用パッドの実施の形態を図面に基づいて説明する。
【実施例１】
【００２３】
図１〜図３に、本発明の失禁用パンツの第１実施例を示す。
この失禁用パンツは、表布１の内側に、股間当接部Ａを中心として、失禁による尿を吸収する吸収層２を形成するようにしたもので、中当布２１と表布１の間に、中当布２１側から、中当布２１と共に吸収層２を構成する吸水性を有する不織布からなる吸収布２２、２３と、防水性を有する防水シート材２４とを順に配したものである。
そして、この失禁用パンツは、前記吸収布２２、２３の周囲に、防水シート材２４を中当布２１に環状に熱融着したシール部３を形成している。
【００２４】
表布１は、適当な吸湿性、保温性を備えた綿布又は綿とポリエステルあるいはナイロン等の合成繊維との混紡布を用い、特に限定されるものではないが、腹部当片１１と臀部当片１２とを側部で縫製するとともに、足口１３を形成して、通常のパンツと同形状に構成するようにしたものである。この場合、股間当接部Ａの幅Ｗ１は、失禁による尿の漏れを防止するため、一般には、通常のパンツより広幅、より具体的には、例えば、１０〜１５ｃｍ程度に形成するようにする。
【００２５】
中当布２１は、直接肌に触れるため、肌触りが良く、吸水性及び水拡散性の良好なナイロン等の合成繊維製の布を用い、股間当接部Ａを中心として、その周囲を覆うことができる大きさ及び形状に裁断したものを用いるようにする。また、中当布２１には、起毛を施すこともできる。
【００２６】
吸収布２２、２３は、吸水性の良好なポリエステル、アクリル、レーヨン等の合成繊維製の不織布を用い、中当布２１側に配した吸収布２２は、少なくとも股間当接部Ａを狭幅にしている。
具体的には、例えば、幅Ｗ２を２．５〜４ｃｍに形成した小面積の小吸収布２２として、一方、表布１側に配した吸収布２３は、小吸収布２２より一回り大きく、かつ、中当布２１より若干小さい大きさの、大面積の大吸収布２３として構成するようにする。
そして、小吸収布２２は、大吸収布２３の略中央部に重ね合わせ、小吸収布２２の長手方向の両端部２６を、大吸収布２３に縫着するようにし、これにより、小吸収布２２が大吸収布２３に対して移動したり、弛んでしわが生じたりしないようにする。
なお、本実施例においては、吸収布２２、２３を、小吸収布２２と大吸収布２３とからなる２層構造としたが、吸収布は、中当布側に配した少なくとも股間当接部を狭幅に形成した小面積の小吸収布２２と、表布側に配した、小吸収布より大面積の大吸収布２３とを備える限り、これに限定されず、３層以上の層構造とすることができる。
【００２７】
防水シート材２４は、吸収布２２、２３に吸収された尿が、表布１に漏れ出ることを防止するために設けられるもので、ポリエステル等の合成繊維製の布に、ポリウレタン樹脂をラミネートすることにより、防水性に加えて、伸縮性を有する、大吸収布２３より一回り大きい、中当布２１と略同じ大きさ及び形状に裁断したものを用いるようにする。
なお、防水シート材２４には、このほか、薄く、柔軟性を有する合成樹脂シートを用いることもできる。
【００２８】
そして、吸収層２は、中当布２１に、小吸収布２２の長手方向の両端部２６を縫着した大吸収布２３を重ね合わせ、大吸収布２３を、その外周縁部と小吸収布２２の側縁２５とで中当布２１に縫着し、さらに、これを防水シート材２４を介して表布１の内側に重ね合わせ、中当布２１及び防水シート材２４の端縁２７を表布１に縫着することにより、形成するようにする。
【００２９】
これにより、表布１側に配した大吸収布２３により、多量の尿を吸収できるようにしながら、大吸収布２３が中当布２１に対して移動したり、弛んでしわが生じたりしないようにするとともに、小吸収布２２を中当布２１と大吸収布２３との間に挟持し、股間当接部Ａの中心位置に保持することができるものとなる。
【００３０】
さらに、大吸収布２３を、小吸収布２２の側縁に沿って、中当布２１に、失禁用パンツの前後方向に縫着した縫目２５の部分で、大吸収布２３が折れ曲がり易くし、また、中当布２１側に配した小吸収布２２の股間当接部Ａを狭幅に形成することにより、失禁用パンツを装着した場合、股間当接部Ａに、不規則な襞を生じさせることなく、この股間当接部Ａを股間部に添わせ、これによって、装着時に不快感を与える股間部におけるごわつきをなくすとともに、尿の横漏れ等を防止することができるものとなる。
【００３１】
一方、シール部３は、防水シート材２４の外周縁部より内側の部分で、吸収布２２、２３を取り囲むように、防水シート材２４を中当布２１に熱融着することにより、連続する環状に施されている。
このシール部３は、例えば、防水シート材２４にラミネートした低融点ポリウレタン樹脂を、高周波ウェルダー等で溶融することにより容易かつ低コストにて形成することができ、また、ラミネートした低融点ポリウレタン樹脂が溶融するだけであるため、その他の材料が熱で劣化することを防止できる。
【実施例２】
【００３２】
図４に、本発明の失禁用パンツの第２実施例を示す。
この失禁用パンツは、表布（図示省略）の内側に、股間当接部を中心として、その周囲に、失禁による尿を吸収する吸収層２を形成するようにしたもので、中当布２１と表布の間に、中当布２１側から、中当布２１と共に吸収層２を構成する水拡散性を有する透水シート材２８と、吸水性を有する不織布からなる吸収布２２、２３と、防水性を有する防水シート材２４とを順に配したものである。
【００３３】
この場合において、透水シート材２８は、合成繊維等の編物からなるネット状体若しくは密度の小さい不織布又はこれらを積層した、高い空隙率を有する透水性の良好なシート状体を用いるようにする。
このような、透水シート材２８を、中当布２１と吸収布２２との間に配することにより、失禁による尿を、中当布２１から、透水シート材２８に吸い取り、拡散させて、速やかに吸収布２２、２３に吸収させることができるとともに、一旦吸収布２２、２３に吸収された尿が、中当布２１に逆流することを防止し、失禁による尿によって肌がべたつくことを防止し、爽快な状態を維持することができるものとなる。
なお、本実施例においては、透水シート材２８を、小吸収布２２と略同じ大きさ及び形状に裁断したものを用いるようにしている。
【００３４】
そして、この失禁用パンツは、前記吸収布２２、２３の周囲に、防水シート材２４を中当布２１に環状に熱融着したシール部３を形成している。
シール部３は、防水シート材２４の外周縁部より内側の部分で、吸収布２２、２３を取り囲むように、防水シート材２４を中当布２１に熱融着することにより、連続する環状に施されている。
このシール部３は、例えば、防水シート材２４にラミネートした低融点ポリウレタン樹脂を、高周波ウェルダー等で溶融することにより容易かつ低コストにて形成することができ、また、ラミネートした低融点ポリウレタン樹脂が溶融するだけであるため、その他の材料が熱で劣化することを防止できる。
【実施例３】
【００３５】
図５に、本発明の失禁用パンツの第３実施例を示す。
この失禁用パンツは、表布（図示省略）の内側に、股間当接部を中心として、その周囲に、失禁による尿を吸収する吸収層２を形成するようにしたもので、中当布２１と表布の間に、中当布２１側から、中当布２１と共に吸収層２を構成する吸収布２９、２３と、防水性を有する防水シート材２４とを順に配したものである。
【００３６】
この場合において、中当布２１は、透水性及び疎水性を有する素材、例えば、ポリエステル繊維等の合成繊維の織編物からなるネット状体（メッシュ状体）若しくは密度の小さい不織布又はこれらを積層した、高い空隙率を有するシート状体を用いるようにする。
これにより、中当布２１を通しての吸収布２９、２３への尿の吸収が促進されるとともに、一旦吸収布２９、２３に吸収された尿が中当布に逆流しにくくなり、これによって、尿の量が多い場合でも、尿が中当布を横方向に伝って漏れ出すことを防止でき、失禁による尿によって肌がべたつくことを防止し、爽快な状態を維持することができるものとなる。
そして、中当布２１には、好ましくは、その全体に汎用の撥水加工、例えば、フッ素系撥水剤による浴中撥水加工を施すようにする。
これにより、一旦吸収布２９、２３に吸収された尿が中当布２１に逆流することをより確実に防止することができる。
【００３７】
また、中当布２１に接する吸収布２９は、特に限定されるものではないが、ポリエステル繊維等の合成繊維の織編物からなるシート状体を用いるようにする。
そして、吸収布２９には、吸水拡散性を有する素材、例えば、吸水拡散加工を施したり、吸水拡散性を備えるように織編した素材を用いるとともに、好ましくは、中当布２１に接する側に起毛を施すようにする。
これにより、中当布２１を通しての吸収布２９、２３への尿の吸収を一層促進することができるとともに、一旦吸収布２９、２３に吸収された尿が中当布に逆流しにくくなり、これによって、尿の量が多い場合でも、尿が中当布を横方向に伝って漏れ出すことを防止することができる。
また、吸収布２９に接する吸収布２３には、吸水性の良好なポリエステル、アクリル、レーヨン等の合成繊維製の不織布を用いるようにする。
なお、吸収布２３及び吸収布２９は、いずれか一方を省略したり、それぞれを複数枚の布で構成することもできる。
【００３８】
そして、この失禁用パンツは、前記吸収布２９の周囲に、防水シート材２４を中当布２１に環状に熱融着したシール部３１を形成している。
なお、本実施例においては、吸収布２９より外周側の全域を熱融着したシール部３１としているが、シール部が連続した環状に形成される限りにおいて、熱融着する部分を、適宜設定することができる。
このシール部３１は、例えば、防水シート材２４にラミネートした低融点ポリウレタン樹脂を、高周波ウェルダー等で溶融することにより容易かつ低コストにて形成することができ、また、ラミネートした低融点ポリウレタン樹脂が溶融するだけであるため、その他の材料が熱で劣化することを防止できる。
【００３９】
また、本実施例においては、防水シート材２４を吸収布２９、２３に少なくとも部分的に熱融着した（例えば、点状に熱融着したり、全面を熱融着することができる。）シール部３９、３３を形成するようにしている。
これにより、防水シート材２４と吸収布２９、２３との一体性を高めることができる。
そして、本実施例のように、吸収布２９、２３を複数枚の布で構成した場合、複数枚の布の大きさを、中当布側から防水シート材側に向けて順次小さく形成することが好ましい。
これにより、防水シート材２４を複数枚のすべての吸収布２９、２３に熱融着して一体化することができ、吸収布２９、２３がずれるのを防止することができる。
【００４０】
ところで、図２〜図３、図４及び図５に吸収層２として記載した構造体は、これを表布１の内側に配し、その端縁２７を表布１に縫着することにより失禁用パンツとすることができるものであるが、これを表布１に縫着せず、単独で通常のパンツの内面に沿って配設することにより、失禁用パッドとして用いることもできる。なお、失禁用パッドとして用いる場合には、上記構造体の外周縁を、解れないように、適当な処理を施すようにする。
【００４１】
かくして、本発明の各実施例の失禁用パンツ及び失禁用パッドは、吸収布２２、２３、２９の周囲に、防水シート材２４を中当布２１に環状に熱融着したシール部３、３１を形成するようにしているので、シール部３、３１により尿をせき止めることができ、これにより、尿の漏れを防止し、吸収布２２、２３、２９で吸収した尿の表布１等への浸透を防止することができる。
【００４２】
また、中当布２１を透水性及び疎水性を有する素材から構成することにより、中当布２１を通しての吸収布２２、２３、２９への尿の吸収が促進されるとともに、一旦吸収布２２、２３、２９に吸収された尿が中当布に逆流しにくくなり、これによって、尿の量が多い場合でも、尿が中当布を横方向に伝って漏れ出すことを防止することができる。
【００４３】
また、中当布２１に撥水加工を施すことにより、一旦吸収布２２、２３、２９に吸収された尿が中当布２１に逆流することをより確実に防止することができる。
【００４４】
また、中当布２１に接する吸収布２９に吸水拡散性を有する素材を用いることにより、中当布２１を通しての吸収布２２、２３、２９への尿の吸収を一層促進することができる。
【００４５】
また、防水シート材２４を吸収布２３、２９に少なくとも部分的に熱融着したシール部３３、３９を形成することにより、防水シート材２３、２９と吸収布２３、２９との一体性を高めることができる。
【００４６】
また、吸収布２３、２９を複数枚の布で構成するとともに、該複数枚の布の大きさを、中当布側２１から防水シート材２４側に向けて順次小さく形成することにより、防水シート材２４を複数枚のすべての吸収布２３、２９に熱融着して一体化することができ、吸収布２３、２９がずれるのを防止することができる。
また、装着したときに、股間当接部Ａに、不規則な襞を生じさせることなく、この股間当接部Ａを股間部に添わせ、これによって、装着時に不快感を与える股間部におけるごわつきをなくすとともに、尿の横漏れ等を防止することができる。
【００４７】
以上、本発明の失禁用パンツ及び失禁用パッドについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００４８】
以上、本発明の失禁用パンツ及び失禁用パッドは、吸収布で吸収した尿の表布等への浸透を防止することができることから、快適性を重視するような失禁用パンツや失禁用パッドの用途に好適に用いることができる。
【図面の簡単な説明】
【００４９】
【図１】失禁用パンツの第１実施例を示す全形図である。
【図２】同股間当接部を、中当布側から見た表布を省略した説明図である。
【図３】同股間当接部の表布を省略した断面図で、（Ａ）は図２のＡ−Ａ線断面図、（Ｂ）は図２のＢ−Ｂ線断面図である。
【図４】本発明の失禁用パンツの第２実施例を示す股間当接部の表布を省略した断面図で、（Ａ）は図２のＡ−Ａ線に対応する位置の断面図、（Ｂ）は図２のＢ−Ｂ線に対応する位置の断面図である。
【図５】本発明の失禁用パンツの第３実施例を示す股間当接部の表布を省略した説明図で、（Ａ）は股間当接部を、中当布側から見た表布を省略した説明図、（Ｂ）は（Ａ）のＡ−Ａ線に対応する位置の断面図、（Ｃ）は（Ａ）のＢ−Ｂ線に対応する位置の断面図である。
【符号の説明】
【００５０】
１    表布
２    吸収層
２１  中当布
２２  小吸収布
２３  大吸収布
２４  防水シート材
２８  透水シート材
２９  吸収布
３    シール部
３１  シール部
３２  シール部
３９  シール部
Ａ    股間当接部
【図１】
2005240252.tif 000003
【図２】
2005240252.tif 000004
【図３】
2005240252.tif 000005
【図４】
2005240252.tif 000006
【図５】
2005240252.tif 000007